(57)【特許請求の範囲】
【請求項１】
（イ）雨傘（５）を両給水盤（２，１９）の開いた中に差し入れて、雨傘（５）の柄（１７）で起動柄（１）を押せば起動電源スイッチ（３３）が入り自動運転を始め、モーター（１１）によって楕円形のテコ（２１）が９０度回転してテコ棒（２４ａ、２４ｂ）を広げて、両吸水盤（２、１９）とスポンジ帯（６ａ、６ｂ、８ａ、８ｂ）及びカバー（３）等が取り付いた回転軸（２３）に直結した横枠（４８ａ、４８ｂ）と縦枠（４７ａ、４７ｂ）を閉じて相対する電磁石（２０）に通電して横枠、縦枠が密着すると同時に脱水を開始する。
（ロ）吸水盤（２、１９）には多数の吸水口（７）があり、その背面には縦型の吸水溝（４）が在り、雨傘（５）の水分は真空タンク（９）に接続する真空パイプ（５０）の３方電磁弁（１３）の真空弁が開き常圧弁を閉じて、雨傘の水滴を吸水口（７）から吸収し、集水溝（１４）を通して脱水し、集水溝（１４）に雨水を集水して１次貯水タンク（２２）に流入する。
（ハ）一定時間を設定して脱水が完了すると同時に真空パイプ（５０）の３方電磁弁（１３）の真空弁が閉じ常圧弁を開いて、１次貯水タンク（２２）の雨水は常圧となり逆止弁（１２）が開いて２次貯水タンク（２５）に流入し、貯水した雨水はストップバルブ（４４）を開き排出する、真空ポンプ（１０）は自動運転として一定の真空度に達すると停止し真空度が下がれば運転を再開する等の一連の自動運転はコントロールボックス（１６）で電源をコントロールする。
（二）一定時間を設定して脱水が完了した後、横棒（４８ａ、４８ｂ）及び縦枠（４７ａ、４７ｂ）を密着させている電磁石（２０）の電源を切ると同時に、楕円形テコ（２１）がモーター（１１）によって９０度回転すると同時に板バネ（２６）又はコイルバネ等の力によって吸水盤（２、１９）を開いて、脱水した傘を取り出す事を特徴とする雨傘の脱水装置。
【請求項２】
（イ）雨傘（５）を下部が連結軸（４９）で連結し固定した吸水盤（２８）と上部が開閉する平行した吸水盤（２７）の中央部に雨傘（５）を左右どちらかの横側面から差し入れて、雨傘（５）の柄（１７）によって起動柄（３４）を左方向又は右方向に押す事により起動電源スイッチ（３２）が入り自動運転を始め最後に脱水工程が完了し傘を取り出すと同時に起動柄（３４）は元の位置にもどる。
（ロ）吸水口（７）と吸水溝（４）のある固定した吸水盤（２８）と開閉する吸水盤（２７）を下部で回転軸（４９）に連結し、その回転軸（４９）にギヤー（３９）を取り付け、ウォームギヤー（４０）と連結するモーター（４５）を回転して吸水盤（２７）を開閉し、その両吸水盤（２７、２８）の開口部に入れた雨傘（５）を挟んで閉じる、そして相対する電磁石（３０）にも電源が入り、固定した吸水盤（２８）の縦枠（３６ａ、３６ｂ）、横枠（３７ａ）と開閉する吸水盤（２７）の縦枠（３１ａ、３１ｂ）、横枠（３７ｂ）に着いたスポンジ帯（４２、４６）等が一体となって密着すると同時に真空ポンプ（１０）に直結した真空タンク（９）より真空パイプ（５０）についた３方電磁弁（１３）の真空弁が開き常圧弁を閉じて、吸水盤（２７、２８）の吸水口（７）から密閉された雨傘（５）の水滴を吸入、脱水して吸水溝（４）に入り集水溝（４３）を通じて雨水を集水して１次貯水タンク（２２）に貯水する。
（ハ）一定時間を設定して脱水が完了すると同時に真空パイプ（５０）の３方電磁弁（１３）の真空弁が閉じ常圧弁を開いて、１次貯水タンク（２２）の雨水は常圧となり逆止弁（１２）が開いて２次貯水タンク（２５）に流入し、貯水した雨水はストップバルブ（４４）を開き排出する、真空ポンプ（１０）は自動運転として一定の真空度に達すると停止し真空度が下がれば運転を再開する等の一連の自動運転はコントロールボックス（１６）で電源をコントロールする。
（二）一定時間を設定して脱水が完了した後、真空タンク（９）に接続した真空パイプにある３方電磁弁（１３）の真空弁を閉止して常圧弁を開き内部常圧となって、吸水盤（２７、２８）の横枠（３７ａ、３７ｂ）と縦枠（３６ａ、３６ｂ、３１ａ、３１ｂ）を密着させている電磁石（３０）の電源を切ると同時に開閉する吸水盤（２７）を回転軸（４９）に取り付けたギヤー（３９）をウォームギヤー（４０）に連結したモーター（４５）が作動して吸水盤（２７）を開き、脱水した傘を取り出す事を特徴とする雨傘の脱水装置。
【発明の詳細な説明】
【０００１】
【発明の属する技術分野】
雨傘の処理については、傘立てを利用するか或いはビニール袋に入れて室内に持ち込まれている現状であるが、これを迅速に多数の雨傘の水分を除去して室内、店舗、電車、車輛等に自由に持ち込む事が出来るようにする。
【０００２】
【従来の技術】
現在は雨傘を閉じて傘立てを使用するか、ビニール袋等に入れて室内に持参するかしているが、大半は雨傘のまま持ち込まれて床等に水滴を撒き散らしているのが現状であり建物と環境に悪影響を与えている。
【０００３】
【発明が解決しようとする課題】
室内、店舗、電車、車輛等に入る時に雨傘を多数保管し管理する事は困難であり、多数の雨傘を迅速に脱水して持ち込めれば、雨傘の水滴で床を汚さ無いと同時に傘の紛失等も防止する事が可能である。
【０００４】
【課題を解決するための手段】
雨傘を閉じて室内、店舗、電車、車輛等に入る前に、本発明は雨傘の水分を脱水するために、真空ポンプによって雨傘の水分を吸水できる２枚の吸水盤で挟んで密封し水滴を吸水して、短時間に雨傘の雨水の脱水を完了して、２枚の吸水盤を開いて傘をとりだし各自が持参出来る様にする。
【０００５】
【実施例】
図１、図２、図３、図４について説明する。
（イ）雨傘（５）を２枚の吸水盤（２、１９）の中に挿入し、その柄（１７）で起動柄（１）を押せば起動電源スイッチ（３２）が入り、横枠（４８ａ、４８ｂ）の回転軸（２３）を介したテコ棒（２４ａ、２４ｂ）を楕円型テコ（２１）用のモーター（１１）が作動し９０度回転して、横枠（４８ａ、４８ｂ）と縦枠（４７ａ、４７ｂ）に空気漏れ防止用のスポンジ帯（６ａ、６ｂ、８ａ、８ｂ）を取り付けた２枚の吸水盤（２、１９）が閉じて、電磁石（２０）に電源が入り密着させる。
（ロ）真空タンク（９）に接続する真空パイプ（５０）の３方電磁弁（１３）の真空弁が開き常圧弁が閉じて、吸水盤（２、１９）の吸水口（７）から雨傘（５）の水分を吸水して、縦型又は斜型の吸水溝（４）に吸入し、集水溝（１４）に集水して、一次貯水タンク（２２）に貯水する、その間真空ポンプ（１０）は真空度に応じて自動運転しているが一定時間を設定し、脱水を完了する。
（ハ）設定した一定時間後に真空タンク（９）の真空パイプの３方電磁弁（１３）の一方の真空弁を閉止し、一方の常圧弁は開放して吸水盤（２、１９）関係及び一次貯水タンク（２２）は常圧状態となり、そして電磁石（２０）の電源を切り、横枠（４８ａ、４８ｂ）の回転軸（２３）を介したテコ棒（２４ａ、２４ｂ）を楕円型テコ（２１）用のモーター（１１）が作動し９０度回転して横枠（４８ａ、４８ｂ）と縦枠（４７ａ、４７ｂ）に付いた吸水盤（２、１９）を開き、脱水した傘を容易に取り出す事が出来る様になる、と同時に一次貯水タンク（２２）の雨水は常圧状態となって逆止弁（１２）が開いて２次貯水タンク（２５）に流入し排水される。
（ニ）以上（イ）、（ロ）、（ハ）の一連の作動はコントロールボックス（１６）で電源をコントロールし自動運転する。
【０００６】
図５、図６について説明する。
（イ）直立固定した吸水盤（２８）と、下部の回転軸（４９）で連結し開閉する吸水盤（２７）との間口部の中央部に両側面から雨傘（５）を差し入れる事が出来て、雨傘（５）の柄（１７）の部分で起動柄（３４）を横に押すことで起動電源スイッチ（３３）が入り作動を始める、そして吸水盤（２７）下部の回転軸（４９）に取り付けたギヤー（３９）をモーター（４５）に直結したウォームギヤー（４０）が回転して、差し入れた雨傘を横枠（３７ａ、３７ｂ）と縦枠（３６ａ、３６ｂ、３１ａ、３１ｂ）の周囲にスポンジ帯（４６、４２）が付いて多数の吸水口（７）より水分を吸水溝（４）に集水する機能が付いた固定された吸水盤（２８）と可動する吸水盤（２７）で挟み、縦枠（３６ａ、３６ｂ、３１ａ、３１ｂ）の中間部にある電磁石（３０）で密着させる。
（ロ）雨傘を両吸水盤（２８、２７）で挟むと同時に真空タンク（９）の３方電磁弁（１３）の真空弁が開き常圧弁を閉止し、雨傘（５）の水分は吸入口（７）から脱水され、立型の吸入溝（４）から集水溝（４３）に入り一次貯水タンク（２２）に貯留され、同時に真空ポンプ（１０）が始動し自動運転する。
（ハ）一定時間を設定して脱水を完了し、真空タンク（９）の３方電磁弁（１３）の真空弁を閉止し常圧弁を開く、そして電磁石（３０）の電源を切り、モーター（５８）に直結するウォームギヤー（５７）を回転してギヤー（５６）に直結した回転軸（４９）と接続する吸水盤（２７）を開き脱水した傘を取り出す事ができる、そして起動柄（３４）は元に戻り、一次貯水タンク（２２）の水は常圧になる為め逆支弁（１２）が開き一次貯水タンク（２２）の雨水は二次貯水タンク（２５）に流入し、貯水してストップバルブ（４４）を開けて排出される。
【０００７】
【発明の効果】
雨傘を個人住宅に持ち込む以外で商業施設に於いては、入り口に傘立てを置いて水滴を取り鍵を掛けて持主の間違いを防止しているが、多人数の場合はビニール袋等に入れるか、そのまま持ち込まれて水滴が床に落ちて、床を汚すと同時に歩行に危険が発生する場合もあり、特に列車、電車、バス等に乗り込む場合も同様であり、本発明の装置を使用して各自が事前に雨傘の水滴を迅速に脱水すれば上記の場所等にも自由に持ち込む事が可能となり種々の支障がなくなる。
【図面の簡単な説明】
【図１】  本発明（請求項１）の斜視図
【図２】  図１の断面図
【図３】  吸水盤の主要部断面図
【図４】  雨傘の側面図
【図５】  本発明（請求項２）の断面図
【図６】  本発明（請求項２）の斜視図
【符号の説明】
１、３４  起動柄
２、１９、２７、２８  吸水盤
３  カバー
４  吸水溝
５  雨傘
６ａ、６ｂ、８ａ、８ｂ、４２、４６  スポンジ
７  吸水口
９  真空タンク
１０  真空ポンプ
１１、４５  モーター
１２  逆止弁
１３  ３方電磁弁
１４、４３  集水溝
１５、３５  支持パイプ
１６、  コントロールボックス
１７  傘の柄
１８、２３、４９  回転軸
２０、３０  電磁石
２１  楕円テコ棒
２２  一次貯水タンク
２３、４９  回転軸
２４ａ、２４ｂ  テコ棒
２５  二次貯水タンク
２６、２９  板バネ
３１ａ、３１ｂ、３６ａ、３６ｂ、４７ａ、４７ｂ  縦枠
３２、３３  起動電源スイッチ
３７ａ、３７ｂ、４８ａ、４８ｂ  横枠
３９  ギヤー
４０  ウォームギヤー
４１  機械室ケース
４４  ストップバルブ
５０  真空パイプ
【図１】
0004056198.tif 000002
【図２】
0004056198.tif 000003
【図３】
0004056198.tif 000004
【図４】
0004056198.tif 000005
【図５】
0004056198.tif 000006
【図６】
0004056198.tif 000007